(57)【要約】【課題】記録されている被検者の識別情報が、何を識別子を意味しているのかを識別できるようにする。【解決手段】ステップＳ１において撮影者は眼底カメラの使われる用途を入力する。次に、ステップＳ２において、被検者識別子を入力する。ステップＳ１、Ｓ２の設定が終了した後に、ステップＳ３として眼底カメラを用いて被検眼眼底の撮影を行う。ステップＳ４においてメモリ上に記憶されている「眼科」、「健診」の用途情報に応じてと患者ＩＤ、検査番号の項目に被検者識別子情報を設定する。続いて、ステップＳ５として、ステップＳ４において被検者識別子情報が付加された撮影画像データを画像データベースに登録する。【選択図】　　　　図２
2004021901.tif 000002
【特許請求の範囲】
【請求項１】
被検者情報を設定する被検者情報設定ステップと、使用目的を設定する目的設定ステップと、前記被検者情報設定ステップで設定された被検者情報を記目的設定ステップで設定された目的情報に応じて記録する情報記録ステップとを有することを特徴とする被検者情報設定方法。
【請求項２】
前記被検者情報設定ステップで設定される被検者情報は、被検者に発番された固有番号であることを特徴とする請求項１に記載の被検者情報設定方法。
【請求項３】
前記目的設定ステップで設定される使用目的は、眼科用途又は健診用途であることを特徴とする請求項１に記載の被検者情報設定方法。
【請求項４】
前記情報記録ステップは、前記目的情報に対応する被検者情報項目に記録することを特徴とする請求項１に記載の被検者情報設定方法。
【請求項５】
前記情報記録ステップでは、被検者情報を画像データ又は検査データと共に記録することを特徴とする請求項１に記載の被検者情報設定方法。
【発明の詳細な説明】
【０００１】
【発明の属する技術分野】
本発明は、医療用機器で入力される被検者ＩＤ等の被検者情報設定方法に関するものである。
【０００２】
【従来の技術】
従来、眼底カメラや内視鏡等の医療機器において、撮影された画像データや検査データ等が何れの被検者のものかを識別するために、撮影又は検査の前後の何れかの段階において、検査番号や患者ＩＤ等の種々の被検者識別子を入力していた。入力された被検者識別子は、画像又は検査データと共に記録又は保存することにより、撮影後に何れの被検者の画像又は検査データであるかを識別できるように構成されている。
【０００３】
【発明が解決しようとする課題】
例えば、近年では眼底カメラにおいても撮影画像はデジタルデータとして保存される形態が一般化してきているため、眼底カメラで被検者識別子を設定する場合には、撮影前に被検者ＩＤを入力し、撮影後に撮影された画像データと入力された被検者ＩＤがリンクされた状態で記憶、保存される。
【０００４】
通常、眼底カメラは大学病院や個人開業医院等の眼科診療が行われる医療機関において使用される場合の眼科用途と、学校や会社等の組織又は地域を主体とした集団健診、医療機関等が主催して行う人間ドック等で使用される健診用途に大別される。
【０００５】
眼科用途の場合には、初診時に発番される患者ＩＤが眼底撮影時の被検者識別子として用いられ、健診用途の場合には受付時に発番される検査番号が被検者識別子として用いられる。
【０００６】
撮影後において、画像と被検者識別子がリンクされた状態で画像データベース等に登録され、後日に画像ビューワ等においてこの撮影画像を表示させる場合には、従来の情報設定方法では被検者識別子が、患者ＩＤ、検査番号の何れかを判断することができなかった。
【０００７】
本発明の目的は、上述の問題点を解消し、撮影した画像に付帯している被検者識別子が何を表しているかを容易かつ確実に識別可能な被検者識別子を設定することができる被検者情報設定方法を提供することにある。
【０００８】
【課題を解決するための手段】
上記目的を達成するための請求項１に係る本発明は、被検者情報を設定する被検者情報設定ステップと、使用目的を設定する目的設定ステップと、前記被検者情報設定ステップで設定された被検者情報を記目的設定ステップで設定された目的情報に応じて記録する情報記録ステップとを有することを特徴とする被検者情報設定方法である。
【０００９】
請求項２に係る本発明は、前記被検者情報設定ステップで設定される被検者情報は、被検者に発番された固有番号であることを特徴とする請求項１に記載の被検者情報設定方法である。
【００１０】
請求項３に係る本発明は、前記目的設定ステップで設定される使用目的は、眼科用途又は健診用途であることを特徴とする請求項１に記載の被検者情報設定方法である。
【００１１】
請求項４に係る本発明は、前記情報記録ステップは、前記目的情報に対応する被検者情報項目に記録することを特徴とする請求項１に記載の被検者情報設定方法である。
【００１２】
請求項５に係る本発明は、前記情報記録ステップでは、被検者情報を画像データ又は検査データと共に記録することを特徴とする請求項１に記載の被検者情報設定方法である。
【００１３】
【発明の実施の形態】
本発明を図示の実施の形態に基づいて詳細に説明する。
図１は本実施の形態における眼底撮影装置の構成図を示しており、演算処理部１には、ＣＣＤセンサ２を有する眼底カメラ３、この眼底カメラ３で撮影した眼底像等を表示するモニタ４、被検者識別子を入力する被検者識別子入力部５、眼底カメラ用途を入力する用途入力部６、撮影した画像を保存、管理するデータベース７、演算処理部１で行われる演算処理内容を表すプログラムを格納する記憶媒体８が接続されている。なお、演算処理部１は眼底カメラ３により撮像された眼底像をＡ／Ｄ変換した後に、一時記憶するメモリ及びその他種々の演算機能を有している。
【００１４】
図２は撮影手順のフローチャート図を示しており、先ずステップＳ１において撮影者は用途入力部６を介して眼底カメラ３の使われる用途を入力する。即ち「眼科用途」、「健診用途」の何れの用途において使用するかについて入力する。「眼科用途」とは眼科医療機関において、眼科関連の疾病の疑いのある患者に対する撮影を前提とした場合であり、「健診用途」とは集団健診や人間ドック等、スクリーニング用途としての撮影を前提とした場合である。このステップＳ１で設定された用途情報は、演算処理部１内の図示しないメモリに格納される。
【００１５】
本実施の形態においては、「眼科用途」、「健診用途」の何れかを選択することとして説明したが、これに限ることなく、「眼科用途」、「内科用途」、「健診用途」等の選択肢を増やし、この中から選択するようにしてもよい。また、項目の内容についても、「眼科用途」、「健診用途」に限ることなく、「外来用途」、「人間ドック用途」、「企業健診用途」のように状況に合わせて任意に設定可能なように構成してもよい。
【００１６】
次に、ステップＳ２において、キーボード、マウス、バーコードリーダ、磁気カードリーダ等の被検者識別子入力部６を介して被検者識別子を入力する。ステップＳ２で入力された被検者識別子も、演算処理部１内の図示しないメモリに格納される。
【００１７】
撮影者はステップＳ１、Ｓ２の設定が終了した後に、ステップＳ３として眼底カメラ３を用いて被検眼眼底の撮影を行う。撮影者が被検眼の視線誘導による撮影部位の決定及び焦点合わせ等を行った後に、眼底カメラ３上の図示しない撮影スイッチを押すことにより、眼底カメラ３内のストロボを発光させ、被検眼眼底像をＣＣＤセンサ２を介して撮像する。ＣＣＤセンサ２から出力される眼底画像信号は演算処理部１内のＡ／Ｄコンバータにおいてデジタル信号に変換した後に、メモリに記憶され、更にモニタ４上に表示される。
【００１８】
メモリに記憶された画像データは、これだけでは誰の眼底画像が判断できないためステップＳ２で設定された被検者識別子との関係付けを行う。関係付けの方法としては、例えば一般的にデジタル画像のフォーマットとして使用されているＴＩＦＦフォーマットやＪＰＥＧフォーマット等のタグ形式のフォーマットを用いて行う。
【００１９】
図３はタグ形式の画像フォーマットの構成図を示しており、タグ型式のフォーマットは「画像関連情報部」、「コメント情報部」、「画像データ部」に大別され、この中の「コメント情報部」に被検者識別子を格納することにより関連付けを行うことができる。
【００２０】
なお本実施の形態においては、タグ形式の画像フォーマットを用いて被検者識別子の関連付けを行うように説明したが、図４に示すように被検者識別子と画像データの双方を対応付ける対応テーブルを介して関連付けるようにしてもよい。この対応テーブルとは、具体的には被検者識別子の情報が格納されているメモリ上のアドレス情報、画像データが格納されているアドレス情報の対応が示されたテーブル、又は被検者識別子の情報が格納されているファイルのファイル名と画像データが格納されているファイルのファイル名の対応が示されたテーブル等である。
【００２１】
更に、図５に示すように、被検者識別子の情報は複数の項目から構成されており、「患者ＩＤ」、「検査番号」、「社員番号」等の項目毎に仕切られ、各項目は用途情報との対応されている。また、この用途情報種類、項目名、項目数は図示しない設定入力手段により、任意に設定が可能である。
【００２２】
撮影が終了すると、ステップＳ４において演算処理部１内のメモリ上に記憶されている用途情報に応じて次の処理が行われる。つまり、用途情報に「眼科」と記録されている場合には、図５に示されているテーブルを参照することにより、患者ＩＤの項目に被検者識別子情報を設定する。一方、用途情報に「健診」と記録されている場合には、テーブルから検査番号の項目に被検者識別子情報を設定する。
【００２３】
図５においては用途情報に対応する項目は、それぞれ１つである例を示したが、図６に示すように１つの用途情報に対し複数の項目に設定するようにしてもよい。
【００２４】
続いてステップＳ５として、ステップＳ４において被検者識別子情報が付加された撮影画像データを画像データベース７に登録する。画像データベース７に登録された画像情報は、図７に示すモニタ４の画面において、必要に応じて画像データと共に被検者識別子情報を閲覧することができる。この際に表示される被検者識別子情報は、図５に示すテーブルを参照して、「患者ＩＤ」が被検者識別子であることを認識できるため、モニタ４の画面上では図７に示すように、被検者識別子の意味を示す「患者ＩＤ」を表示することが可能となる。
【００２５】
なお、図５に示す被検者識別子情報のテーブル上に「用途」、「項目」、「値」の全てを一元管理するように説明したが、「用途」と「項目」の対応については演算処理部１内のメモリ上に設定し、被検者識別子情報のテーブル上には、「項目」と「値」の対応のみとする二元管理としても同様の効果が得ることができる。
【００２６】
本実施の形態においては、眼底カメラの場合を例に挙げて説明したが、スリットランプ（細隙灯顕微鏡）や内視鏡等の画像データ出力機器や視野計、眼屈折計、血圧計等の検査データ出力機器等、他の医療機器においても同様に適用することができる。
【００２７】
【発明の効果】
以上説明したように本発明に係る被検者情報設定方法は、機器の用途情報に応じて入力された被検者識別子情報を所望の項目に設定することができ、撮影又は検査した情報の被検者に関する識別子がどのような種類の情報であるかを容易に知ることができ、例えば患者ＩＤと思っていた番号が実は検査番号であったなどのトラブルを未然に防ぐことができる。
【図面の簡単な説明】
【図１】眼底撮影装置の構成図である。
【図２】撮影手順のフローチャート図である。
【図３】タグ形式の画像フォーマットの構成図である
【図４】被検者識別子と画像データの関連の説明図である。
【図５】被検者識別子情報の説明図である。
【図６】被検者識別子情報の説明図である。
【図７】モニタ画面の説明図である。
【符号の説明】
１　演算処理部
２　ＣＣＤセンサ
３　眼底カメラ
４　モニタ
５　被検者識別子入力部
６　用途入力部
７　画像データベース
８　記憶媒体
【図１】
2004021901.tif 000003
【図２】
2004021901.tif 000004
【図３】
2004021901.tif 000005
【図４】
2004021901.tif 000006
【図５】
2004021901.tif 000007
【図６】
2004021901.tif 000008
【図７】
2004021901.tif 000009